(57)【特許請求の範囲】
【請求項１】
バッテリーパックを着脱自在に装着する装着部と、前記装着部から上向きに突出するハンドル部とを備え、前記装着部の内側空間であって前記ハンドル部の根元部分の近傍に、制御回路を搭載した電気回路基板を配置した充電式電動工具であって、
前記装着部と前記ハンドル部とが一体にされたハウジングは、２つの分割ハウジングを組み付けてなり、
前記内側空間で、前記２つの分割ハウジングの合わせ面に沿った前記根元部分の真下位置に、該根元部分の下端を受け止める受け部を、前記電気回路基板を保持するケースの上面に形成された窪み部の底面から前記根元部分側へ突出させて、前記窪み部の内壁面と一体に設けたことを特徴とする充電式電動工具。
【請求項２】
当該充電式電動工具に固有の識別情報を書き込んだＩＣタグを備え、
前記ケースの裏面に、前記ＩＣタグを取り付け可能な取付部を設けたことを特徴とする請求項１に記載の充電式電動工具。
【発明の詳細な説明】
【技術分野】
【０００１】
この発明は、バッテリーパックを着脱自在に装着する装着部と、前記装着部から上向きに突出するハンドル部とを備え、前記装着部の内側空間に電気回路基板を配置した充電式電動工具に関する。
【背景技術】
【０００２】
例えば特許文献１には、モータ等を収容したハウジング本体部の下部から筒状のハンドル部を突出させて、ハンドル部の下端部にバッテリーパックが連結される連結部を形成したインパクトドライバが開示されている。このインパクトドライバでは、バッテリーパックの電源端子が接続されるターミナルを備えたターミナル支持板が、連結部の内側に固定された上で、モータの電気回路基板を収容するケースが、ターミナル支持板の上側に重ねられた状態で取り付けられている。
【先行技術文献】
【特許文献】
【０００３】
【特許文献１】特開２０１０−３００２４号公報
【発明の概要】
【発明が解決しようとする課題】
【０００４】
ところで、上記のインパクトドライバ等の充電式電動工具を誤って落下させたことに伴ってハンドル部に衝撃力が加わると、ハンドル部の根元部分が連結部の内側に入り込んで電気回路基板に衝突するおそれがあった。仮に前記根元部分が電気回路基板に衝突すると、電気回路基板が衝撃力で損傷することが懸念される。
【０００５】
この発明は、このような状況に鑑み提案されたものであって、ハンドル部に衝撃力が加わった場合でも、電気回路基板が損傷することを防止可能な充電式電動工具を提供することを目的とする。
【課題を解決するための手段】
【０００６】
請求項１の発明に係る充電式電動工具は、バッテリーパックを着脱自在に装着する装着部と、前記装着部から上向きに突出するハンドル部とを備え、前記装着部の内側空間であって前記ハンドル部の根元部分の近傍に、制御回路を搭載した電気回路基板を配置した充電式電動工具であって、前記装着部と前記ハンドル部とが一体にされたハウジングは、２つの分割ハウジングを組み付けてなり、前記内側空間で、前記２つの分割ハウジングの合わせ面に沿った前記根元部分の真下位置に、該根元部分の下端を受け止める受け部を、前記電気回路基板を保持するケースの上面に形成された窪み部の底面から前記根元部分側へ突出させて、前記窪み部の内壁面と一体に設けたことを特徴とする。
【０００８】
請求項２の発明は、請求項１において、当該充電式電動工具に固有の識別情報を書き込んだＩＣタグを備え、前記ケースの裏面に、前記ＩＣタグを取り付け可能な取付部を設けたことを特徴とする。
【発明の効果】
【０００９】
請求項１の発明に係る充電式電動工具によれば、ハンドル部に衝撃力が加わったことでハンドル部の根元部分が装着部の内側空間へ入り込もうとする場合でも、受け部が前記根元部分の下端を受け止めて、根元部分が電気回路基板に対して直接衝撃力を加えることを防止できる。よって、電気回路基板の損傷を効果的に防止できる。
特に、ハウジングに衝撃力が加わって分割ハウジングが変位することで分割ハウジング同士の合わせ面がずれようとする場合でも、受け部が前記根元部分の下端を受け止めて合わせ面のずれを抑制できる。
請求項２の発明によれば、ＩＣタグを予め取付部に取り付けた状態で前記ケースを装着部の内側空間に組み付けることで、これと同時にＩＣタグを内側空間に組み付けることができる。したがって、充電式電動工具に対するＩＣタグの組み付け作業が容易になる。
【図面の簡単な説明】
【００１０】
【図１】本発明の実施形態におけるバッテリーパックを装着したインパクトドライバのバッテリー装着部付近の内部構造を示す斜視図である。
【図２】同内部構造を示したバッテリー装着部付近の側面図である。
【図３】図２のＡ−Ａ線断面図である。
【図４】同バッテリー装着部の内側空間にＩＣタグを組み付けた状態を示した図である。
【発明を実施するための形態】
【００１１】
本発明の実施形態を図１ないし図４を参照しつつ説明する。本実施形態のインパクトドライバ１は、バッテリー装着部１０と、ハンドル部２０と、電気回路基板３０と、操作部４０とを備えている。バッテリー装着部１０とハンドル部２０とは、バッテリー装着部１０の左側部分及びハンドル部２０の左側部分を有する樹脂製の左半割ハウジング５０Ｌと、バッテリー装着部１０の右側部分及びハンドル部２０の右側部分を有する右半割ハウジング５０Ｒとを組み付けることで一体に形成されている。なお、インパクトドライバ１は本発明の充電式電動工具の一例であり、左右の半割ハウジング５０Ｌ、５０Ｒは本発明の２つの分割ハウジングの一例である。
【００１２】
バッテリー装着部１０には、略直方体形状のバッテリーパックＢが着脱自在に装着される。バッテリー装着部１０の正面視左側面には、インパクトドライバ１を作業者のベルトに吊り下げるフックＦ（図３及び図４参照。）が螺着されている。ハンドル部２０は、バッテリー装着部１０の上面から上向きに突出するように形成されている。ハンドル部２０の上端には、モータやモータの回転を回転打撃力に変換して先端工具に伝達する打撃機構等を収容した胴体部（図示せず。）が連設されている。なお、バッテリー装着部１０は本発明の装着部の一例である。
【００１３】
図２に示すように、電気回路基板３０は、バッテリー装着部１０の内側空間１１においてハンドル部２０の根元部分２２の近傍に配置されている。この根元部分２２は、ハンドル部２０とバッテリー装着部１０との境界付近に当たる位置を意味する。電気回路基板３０は樹脂でモールドされてケース３１内に保持されている。図２及び図４に示すように、左半割ハウジング５０Ｌの内面と一体にされたリブ５１と右半割ハウジング５０Ｒの内面と一体にされたリブ５２とが、ケース３１の下面を支持することで、ケース３１は内側空間１１に組み付けられる。
【００１４】
図１に示すように、ケース３１の上面には矩形状の窪み部３４が形成されて、窪み部３４の底面から突出する樹脂製の受け部３５が、窪み部３４の後側内壁面と一体に形成されている。図３に示すように、受け部３５は、内側空間１１において左半割ハウジング５０Ｌと右半割ハウジング５０Ｒとの合わせ面２３に沿った根元部分２２の真下位置に設けられて、バッテリー装着部１０の下面に対して僅かな空間を残して近接している。一方図３及び図４に示すように、ケース３１の裏面には、矩形状の凹部３７が形成されている。この凹部３７は、ＩＣタグ３８を収容して取り付け可能とする。ケース３１を内側空間１１に組み付ける前に、ＩＣタグ３８は予め凹部３７に取り付けられる。このＩＣタグ３８は、ＩＣチップとコイル状のアンテナとを備え、ＩＣチップはメモリや制御部を備えている。ＩＣチップに固有のＩＤ等はＩＣチップのメモリに記憶されている。制御部は、前記アンテナを介してＩＣタグリーダ／ライタから受信したコマンドに基づいて、メモリに記憶された情報の送信やメモリに記憶する情報の受信を制御する。なお、凹部３７は本発明の取付部の一例であり、ＩＣチップに固有のＩＤは、本発明の充電式電動工具に固有の識別情報の一例である。
【００１５】
また、図１及び図２に示すように、バッテリー装着部１０の上面には、ケース３１が配置された位置の真上位置において根元部分２２に到達して開口する開口部１５が形成されている。操作部４０は開口部１５に装着されている。操作部４０は、上面に各種の操作ボタンや表示ランプが配置された操作パネルによって構成されている。本実施形態では、回転打撃力の強度を切り替える打撃力切替ボタン、回転打撃力の強度を示す強度表示ランプ、バッテーパックＢの電池残量を表示する電池残量表示ランプが、操作パネルの上面に配置されている。打撃力切替ボタンが押されると電気回路基板３０に搭載された制御回路が働いて、回転打撃力の強度を設定すると共に設定された回転打撃力の強度（強、中、弱）は強度表示ランプに表示される。
【００１６】
本実施形態では、例えばインパクトドライバ１を誤って落下させたことによりハンドル部２０に衝撃力が加わっても、電気回路基板３０の損傷を防止するために受け部３５がハンドル部２２の根元部分２２の下端を受け止めることを可能にした。以下に、受け部３５が根元部分２２の下端を受け止める動作を説明する。
【００１７】
バッテリー装着部１０には根元部分２２の機械的強度を低下させる開口部１５が設けられていることから、ハンドル部２０に衝撃力が加わると根元部分２２がバッテリー装着部１０の内側空間１１に入り込もうとすることが考えられる。このような場合でも、根元部分２２の真下位置に設けられた受け部３５は、根元部分２２の下端を受け止める。これにより、受け部３５は根元部分２２から受ける衝撃力を吸収して緩和する。これに加えて、受け部３５が一体にされたケース３１も当該衝撃力を吸収して緩和できる。
【００１８】
また、例えば左半割ハウジング５０Ｌ又は右半割ハウジング５０Ｒのいずれかが偶発的に衝撃力を受けて変位することで、合わせ面２３がずれようとすることも考えられる。このような場合でも、合わせ面２３に沿った根元部分２２の真下位置に設けられた受け部３５は、ハンドル部２０の左側部分の根元部分２２の下端やハンドル部２０の右側部分の根元部分２２の下端を受け止めることができる。よって、受け部３５は、各根元部分２２から受ける衝撃力を吸収して緩和できる。
【００１９】
＜本実施形態の効果＞
本実施形態のインパクトドライバ１では、ハンドル部２０に衝撃力が加わったことで根元部分２２が内側空間１１に入り込もうとする場合でも、受け部３５が根元部分２２の下端を受け止めて、根元部分２２が電気回路基板３０に対して直接衝撃力を加えることを防止できる。よって、電気回路基板３０の損傷を効果的に防止できる。
【００２０】
また、左半割ハウジング５０Ｌ又は右半割ハウジング５０Ｒのいずれかが衝撃力を受けて変位することで、合わせ面２３がずれようとする場合でも、受け部３５が、ハンドル部２０の左側部分の根元部分２２の下端やハンドル部２０の右側部分の根元部分２２の下端を受け止めて合わせ面２３のずれを抑制できる。
【００２１】
さらに、ＩＣタグ３８を予め凹部３７に取り付けた状態でケース３１を内側空間１１に組み付けることで、これと同時にＩＣタグ３８を内側空間１１に組み付けることができる。したがって、インパクトドライバ１に対するＩＣタグ３８の組み付け作業が容易になる。
【００２２】
本発明は、上述した実施形態に限定されるものではなく、発明の趣旨を逸脱しない範囲内において構成の一部を適宜変更して実施できる。上述した実施形態では受け部３５をケース３１と一体に形成したが、これに限らず、受け部３５は、ケース３１とは別体として形成した後にケース３１に接着等して合わせ面２３に沿った根元部分２２の真下位置に配置するものでもよい。
【００２３】
また、受け部３５は樹脂製のものに限らず合成ゴム等の弾性部材で形成したものであってもよい。さらに、インパクトドライバに限らず、充電式のドライバドリル等の電動工具に本発明を適用してもよい。
【符号の説明】
【００２４】
１・・インパクトドライバ、１０・・バッテリー装着部、１１・・バッテリー装着部の内側空間、２０・・ハンドル部、２２・・ハンドル部の根元部分、２３・・左半割ハウジングと右半割ハウジングとの合わせ面、３０・・電気回路基板、３１・・ケース、３５・・受け部、３７・・凹部、３８・・ＩＣタグ、５０Ｌ・・左半割ハウジング、５０Ｒ・・右半割ハウジング、Ｂ・・バッテリーパック。
【図１】
0005698546.tif 000002
【図２】
0005698546.tif 000003
【図３】
0005698546.tif 000004
【図４】
0005698546.tif 000005